(57)【特許請求の範囲】
【請求項１】
実質的に一様な抵抗率の表面コーティングを施したほぼ長方形の基板が含まれ、前記抵抗コーティング上に周囲を構成する各辺にほぼ沿って斜めに内側を向く放物面状のパターンで複数の細長いセグメント状の導体が配置され、各辺に沿った細長い導電セグメントは、互いに対向する間隔を置いて設けられた隅セグメントを備え、隅セグメントの間に中点セグメントが挿入され、各セグメントは実質的にＺ字形の形状であり、広い本体部分が横方向の外側に伸びる一対の脚の間に配置され、各辺に沿った導電セグメントは互いに対向する隅セグメントと中点セグメントとの間に配置されるタッチスクリーンパネルのエッジ線形化装置において、
（ａ）前記導電セグメントのパターンの表面上に誘電体障壁層が配置され、
（ｂ）前記誘電体層の一部の上に接触パッドのアレーが配置され、前記接触パッドの中の選択された接触パッドが前記隅セグメントの中の選択された隅セグメントと電気的に接触し、
（ｃ）複数の細長い導電バスは、それぞれ前記接触パッドの中の選択された接触パッドと前記隅セグメントの中の選択された隅セグメントとの間の経路に沿って伸び、前記セグメント状の導体の経路と交差し、所定の交差点で前記細長い導電バスは、導電セグメントのアレー部分の上方にあり、および
（ｄ）前記交差点は、各々前記Ｚ字形セグメントの本体部分に沿ってだけ配置され、前記導電セグメントの軸と前記細長い導電バスの軸とは、前記交差点で、それぞれ互いに斜交関係にあること、
を特徴とするタッチスクリーンパネル。
【請求項２】
請求項１のタッチスクリーンパネルであって、少なくとも２つの隅セグメントは、前記交差する中央部分の間に形成される頂点で直角に配置される一対の導電部分を含むタッチスクリーンパネル。
【請求項３】
請求項１のタッチスクリーンパネルであって、平行に間隔を置いて設けられた細長いバスセグメント相互の間に配置されたオフセット結合セグメントで、それに沿って前記交差点が配置されるタッチスクリーンパネル。
【発明の詳細な説明】
【０００１】
【発明の属する技術分野】
本発明は、一般に、改善されたタッチスクリーンまたは接触入力システムに関するものであり、更に詳しくはスクリーンに電力を供給する改善された重畳電極構成を備えたタッチスクリーンに関するものである。
【０００２】
電極構成には、表面全体に抵抗性の膜を備えた基板の上に直かに、または基板の上方に配置された多重重畳導電層が含まれる。電極層群の中の１つの電極層が抵抗性である点で特徴が最もよく表される。この電極層には、Ｘ−Ｙ入力信号の検出の正確さを向上させるエッジ線形化要素の構成またはレイアウトを集合的に備える導電性のセグメントのネットワークまたはアレーが含まれる。電極層群の中のもう１つの電極層には導電バスのアレーが含まれ、この導電バスのアレーを通して、電源からの電位が導電セグメントアレーの選択された位置に送られる。本発明の配置によれば、個々の電極を積み重ねることができ、所要周囲寸法が大幅に小さくなるので、スクリーンの有効面積が大きくなる。本発明は、特に、本発明の譲受人に譲渡されたバレット（Ｂａｒｒｅｔｔ）他による米国特許第５，７３６，６８８号明細書に開示され、特許が請求されている特定のタッチシステムと一緒に使用するようにされた改善である。前記米国特許明細書は、ここに引用することにより、その開示全体を本明細書の一部として組み入れる。本発明は、他のタッチスクリーンシステムと一緒に使用してもよいことに注意すべきである。
【０００３】
【従来の技術】
従来、導電性のインクで作られ、抵抗性の表面に形成された電界を最もよく線形化する構成またはパターンで広げられた導電セグメントを備えるスクリーンを含む接触入力システムが利用可能であった。セグメントは、「導電性」と示されているが、セグメント自体だけが導電性であり、アレー全体が抵抗性であることは理解される。したがって、これらのセグメントは、抵抗性の性質を備えたネットワークを作成し、本明細書の説明は、従来の方式の周知のセグメントのネットワークを明らかにしようとしているに過ぎない。１つの非常に有用な導電セグメントのアレーネットワークまたは配置が米国特許第５，７３６，６８８号明細書に詳細に開示されている。好適なアレーの中には、表面の活性領域または有効領域の電界を線形化するために導電セグメントが次第に内側に変位するパターンを利用するアレーがある。換言すれば、各セグメントアレーのネットワークパターンは、セグメントが集合的にほぼ内向きにされ、すなわち内側に弓形に曲げられ、また間隔を置いて対向して配置されたセグメントの間に放物面状に構成して、各アレーは、隅の中間に配置された中点セグメントを備えてもよい。隅セグメントは、形状が長方形で隅の頂点を規定している。隅セグメントは、バスへの電気的結合のための接触パッドを含んでいる。特に望ましい１つの構成では、各アレーの中点セグメントは、ほぼ「Ｔ」字形であり、中点の左側の導電セグメントの形状は、ほぼ「Ｚ」字形であり、中点の右側の導電セグメントの形状は、ほぼ「逆Ｚ」字形になっている。タッチスクリーンの動作に必要な電界を形成するため、およびこれらのスクリーンの正確さを向上するために、対向する隅セグメントの各々に印加される電位または信号が正確で変化しないことが絶対に必要である。ほとんどの用途では、間隔を置いて配置された接触パッドの各々に印加される電位は等しくなければならない。本発明の配置は、印加される電位全体の線形性、一様さおよび正確さを向上することにより、タッチスクリーンの表面に形成される電界をより一様にする。
【０００４】
導電セグメントのエッジアレーおよびアレーに電気エネルギを与える導電バスをほぼ平行であるが間隔を置いて配置されたレーンまたは経路に沿って配置することが従来行われてきた。このような装置では、導電バスは、導電セグメントの個々のアレーから横方向に間隔を置いて配置される。この配置の欠点は、かなりの量の付加的な周囲領域が必要とされるので、スクリーン全体のサイズが大きくなるということである。後で更に詳しく説明するように、本配置は、重畳されたレーンまたは経路の注意深い設計により全体の所要サイズを小さくする。本発明の重畳電極配置は、スクリーンの有効面積を増大させることにより所要の全体サイズを小さくする。
【０００５】
他の公知のタッチスクリーンシステムでは、バスと抵抗ネットワークとの間にある抵抗層の部分を除去するエッチングパターンにより、バスは抵抗ネットワークから分離される。更に他のシステムでは、細長い導電バスが誘電体層の上方に配置され、誘電体は、抵抗ネットワークの上方に伸びない配置が利用される。このような配置は、所要面積が大きくなるので、あまり望ましくない。他の公知のスクリーンでは、間隔を置いて設けられた軸に沿って配置され、間隔を置いて設けられている線形トレースで構成される導電セグメントのアレーが設けられている。
【０００６】
重畳電極の利用は、その構成は所要電力の削減に貢献するので、弓のように曲げられた電極構成と組み合わせて使用するのに特に充分に適している。新規の交差配置とともに採用されたこの削減により、結果として得られるスクリーンシステムの正確さが向上する。
【０００７】
【発明が解決しようとする課題】
１つの代表的で広く利用されているパターン配置では、ずらされ、散在され又はインタリーブされた「Ｔ」字形セグメントの横方向に間隔を置いて設けられた２つの行にほぼ沿って導電セグメントが形成され、バスは、横方向にセグメントから間隔を置いて設けられる。上記のように、電極が横方向に間隔を置いて設けられるとき、付加的な周囲面積が必要とされるので、完成したスクリーンの有効面積が小さくなる。
【０００８】
【課題を解決するための手段】
所要サイズを小さくするのと同時に正確さを向上するために、スクリーンの表面上にスタックまたは重畳した関係で導電性が非常に高い導電バスが形成される。アレーのそれぞれの対向または隣接した隅で、与えられ又は既知の電位を同時かつ確実に印加するように、これらのバスは、導電セグメントのアレーに重畳され、導電セグメントのアレーから電気的に分離される。導電セグメントの弓形、すなわち内向きの放物面状の形状が与えられたとすると、および有効な表面を最大にすることによりスクリーン全体のサイズを最小にするという目的が与えられたとすると、アレーを構成する導電セグメントの下にあるパターンのレーンまたは経路の上方を通過し交差するようにバスを重畳することにより、目的達成が容易になる。本発明によれば、交差する細長いバスの軸と導電セグメントの軸とが交差点で斜交するように配置され、実際の交差点が導電セグメントの主要部分、すなわち固体部分に沿って配置されたときに、隅セグメントに印加される電位が正確に与えられるということも確かめられた。
【０００９】
したがって、本発明によれば、システムに接触入力を与えるタッチスクリーン集合体は、好ましくはガラスの基板を含む。基板表面の上には、通常、酸化インジウム−スズ（ＩＴＯ）で構成される、粘着性の電気抵抗膜またはコーティングが設けられる。内向きの放物面状のパターンまたはアレーとして配置された導電セグメントは、従来の方法、たとえば、シルクスクリーンにより抵抗膜の表面のすぐ上に設けられ、好ましくは、米国特許第５，７３６，６８８号明細書に開示されている放物面状の形状で構成される。誘電体層が導電セグメントの上方に基板のエッジ表面に隣接して設けられる。誘電体層は、既に設けられた導電セグメントのパターンの全部またはかなりの部分の上にくるのに充分な距離だけ内側に伸びる。前記したような導電バスが誘電体障壁コーティングの上方に設けられる。バスは、導電セグメントに結合される。この分野で従来行われているように、良好な粘着性のある接着剤を使用して、その上に抵抗膜のある柔軟な膜をグラフィカル上膜もしくは集合体のカバーレイ（ｃｏｖｅｒ  ｌａｙ）またはオーバレイ（ｏｖｅｒ  ｌａｙ）として付着してもよい。
【００１０】
タッチ入力システムは、主として、その表面にタッチする導電性スタイラス（ｓｔｙｌｕｓ）のような物体の位置を判定するために使用される。このようなタッチ入力システムには、コンピュータグラフィックス、コンピュータ支援用設計およびコンピュータ支援製造システムを含むさまざまな用途がある。他の用途としては、レストラン、情報キオスク、複雑な機械のための制御パネル等での使用が含まれる。このようなシステムでは、タッチまたは接触点の位置の精密な判定がしばしば必要となる。
【００１１】
タッチシステムは、スクリーンに対してなされた単一のタッチまたは接触に応答するようにされる。代わりに、システムは、このような一連のタッチまたは接触に応答してもよい。これらのシステムは、選択的に透明なカバーレイを用いてもよい。ユーザは、スクリーンの抵抗表面またはカバーレイの外表面を指でさわることによりシステムを作動させることができる。カバーレイは、絶対に必要なものではなく、操作者が抵抗表面にタッチし、グラウンド接触を与えることによりタッチのＸ−Ｙ位置を容易に判定することができるような有用なシステムを設計し、使用することができる。
【００１２】
従来、タッチスクリーンシステムは、システムに入力を与える接触点の位置を突き止めるための種々の手法またはアプローチを用いてきた。いずれにしても、タッチスクリーンの抵抗層または抵抗膜の電気的性質は、好ましくは全体にわたって実質的に一様であり、単位面積当たり約２００−１０００オームの範囲の抵抗率が代表的な値である。応答の一様さと再現可能性のために、抵抗膜への電気入力および抵抗膜を通しての電気入力も一様であることが必要である。抵抗膜の表面に設けられる導電セグメントの列を含むネットワークは、通常、抵抗表面より導電性が高く、表面上にシルクスクリーニングしたり、別の方法で印刷してもよい。ネットワークに電流を与えるバスにより、ネットワークは、スクリーン表面両端間に第１の方位または方向に第１の電位または電界を形成したのち、スクリーン表面の両端間に第２の方位または方向に第２の電位を印加することにより、第１の電界に対して垂直な電界を形成することができる。したがって、操作者の指、スタイラスまたは他の手段を使用して表面をタッチして信号が作成されると、一義的なＸ−Ｙ信号が作成され、これを変換または変更することにより、その物体がスクリーンにタッチした点の精密な位置を示すことができる。得られた信号は、通常、比較器または他の従来のシステムにより解析される。通常、データを解釈するためのファームウェアを備えたマイクロコントローラがこのシステムへの入力を発生する。このようなシステムは、当業者には知られている。Ｘ−Ｙ位置を与える他に、このようなシステムは、圧力、位置または他のパラメータに基づく「Ｚ」軸値を判定および付与する手段と組み合わせることもできる。
【００１３】
現在利用できるＩＴＯコーティングのようなコーティングシステムでの改善により、基板をおおう抵抗膜は、通常、かなり一様で予測可能な抵抗率を備えている。しかし、これらの改善を完全に利用し、システム全体の性能を改善することができるためには、互いに対向する導電セグメントおよびその間に非常に一様な電位を印加することが必要になる。一様な電位を印加することにより、電界の歪みと非直線性が小さくなり、タッチ点位置の正確さが向上する。
【００１４】
説明したように、スクリーン成分のサイズを小さくしたいという普遍的な希望により、導電セグメントのネットワークからのバスを含む導体を重畳し、電気的に分離することが必要となる。重畳される構成要素の配置を行うとき、バスの個々のレーンまたは経路とアレーの中の導電セグメントが交差することが必要になる。各交差点のバスには、通常、インピーダンスが生じ、このインピーダンスは、電位の一様な印加を乱したり妨げたりする。
【００１５】
本発明によれば、細長いバスと、ネットワークを構成する導電セグメントのアレーとが、細長いバスの軸と導電アレーの軸とが交差点でほぼ斜交関係になるように配置されたとき、電界と電位の一様な印加が向上し、促進される。電界の一様性を更に向上するために、交差点を横方向に伸びる抵抗膜に接触する脚部分の一方または他方に沿ってではなく、「Ｚ」字形セグメントの固体部分に沿って配置する。したがって、スクリーン全体のサイズを小さくするだけでなく、印加される電位の一様さを向上しつつ、サイズの削減が達成される。
【００１６】
本発明によれば、導電率が一様な表面コーティングをその上に施したほぼ長方形の基板を含み、抵抗性のコーティングの表面上に複数の細長いセグメント状の導体が形成され改善されたエッジ線形化タッチスクリーンパネルが提供される。基板の周囲を構成する辺に順に沿うネットワークおよびほぼ内側を向く放物面状のパターンでセグメント状の導体が配置される。細長い導電セグメントの各周囲列は、互いに対向し間隔を置いて設けられた直角の隅セグメントを備え、隅セグメントの間に中点セグメントが挿入され、残りの各セグメントは、実質的に相補な「Ｚ」字形と逆「Ｚ」字形の形状である。すべて後で説明するように、列の各セグメントは、横方向に配置された外側に伸びる一対の脚の間に配置された中央の広い本体部分を備え、各隅セグメントは、細長い導電バスを通して接触パッドを受け入れ、接触パッドと電気的に接触するように設計される。
【００１７】
準備において、基板には粘着性／付着性の電気的に抵抗性の膜、代表的にはＩＴＯが設けられ、このような基板は、市販されている。抵抗性の膜の上方に隅セグメントとともに導電セグメントのアレーまたはネットワークが設けられ、セグメントの上方に誘電体層または誘電体膜が設けられる。次に、基板の一方のへりに隣接して、誘電体層の表面の上方に入力および出力の接触パッドまたは端子が形成される。接触パッドは、電源のような適当な装置からの入力および検出システムまたは機構も回路接続されるように配置される。入力接触パッドの中の選択された入力接触パッドは、細長い、非常に導電性の高いバスを通して隅セグメントに電気的に結合される。これらのバスは、それぞれ接触パッドから選択された隅セグメントに至る経路に沿って伸び、バスの部分は、必ず、１つ以上の個別の交差点で個々の導電セグメントと交差し、その上にある。
【００１８】
交差点は、それぞれ個々の「Ｚ」字形の導電セグメントの中央本体部分に沿って配置される。バスを導電セグメントに近接させると、バスに電気インピーダンスが生じ、このインピーダンスは、別々の隅セグメントで印加電圧に差が生じるということで明らかになる。印加電圧の差はタッチスクリーンの直接の操作条件に応じて同一の隅セグメントでも検出される。換言すれば、このインピーダンスまたは干渉は、バス毎に変わり得るものであり、望ましくなく予測不可能な結果を生じることがわかった。
【００１９】
インピーダンスの影響を減らすために、各バスの幾何学的配置または経路を修正して、バスと導電セグメントとの間の個々の交差点は、それぞれの軸がある斜交関係にある位置でだけ生じるようにされる。換言すれば、細長いバスと導電セグメントのそれぞれの軸は、直接交差点で斜交関係になっている。
【００２０】
したがって、本発明の主要な目的は、スクリーンの使用可能な面積を最大にすることにより、スクリーンの間隔を置いて設けられた部分での一様な電界の印加を容易にするとともにスクリーン全体のサイズを最小にし、新規な重畳電極構成を備えた改善されたタッチスクリーンを提供することである。
【００２１】
本発明のもう１つの目的は、間隔を置いて設けられた導体の間に交差点を設ける電極構成を備え、交差点を互いに斜交関係に配置することにより、スクリーンサイズを小さくすると同時に、スクリーンへの印加電位の一様さを改善したタッチスクリーン装置を提供することである。
本発明の他の目的は、以下の説明、特許請求の範囲および添付図面を検討することにより、熟達した当業者には明らかとなる。
【００２２】
【発明の実施の形態】
本発明の好適実施例によれば、図１に示すように、全体を１０と表したタッチスクリーン集合体は、基板１１を含む。基板１１の上にＩＴＯ膜１２のような抵抗層が形成される。抵抗層の上方に、個々のセグメント列１３、１４、１５、１６で示されるような導電セグメントのネットワークまたは列が形成される。明らかなように、導電セグメント１３−１６の各列は、「Ｚ」字形セグメント列１３Ｄと逆「Ｚ」字形セグメント列１３Ｅとの間に挿入された中心セグメント１３Ｃとともに、１３Ａ、１３Ｂのような対向する隅セグメントを含む。セグメント列１３−１６は、それぞれ、このように構成される。上記したように、これらの導電セグメントおよびネットワークは、米国特許第５，７３６，６８８号明細書に示された開示に従って形成される。タッチスクリーンで利用される型のＩＴＯ抵抗表面を備えた基板は、市販されている。
【００２３】
次に図２および図３を参照する。導電セグメント１３−１６の表面上に、１９に示すような誘電体層が形成される。図３に示すように、誘電体層または誘電体膜１９は、隅のパッドを除いて個々の導電セグメント列の全長上に横たわる。
【００２４】
図４には、接触入力パッドのアレーとともに細長いバスの配置が示され、誘電体層１９の外表面上にバスとパッドが形成される。引き続き図４からわかるように、細長いバス２２、２３の近端に対して接触入力パッド２０、２１がそれぞれ設けられている。
【００２５】
接触入力パッド２４、２５は、細長いバス２７、２８にそれぞれ回路接続されている。接触入力パッド２９に電気的に結合された隅セグメント、たとえば隅セグメント１３Ａとの電気的接触を確立するために、各バスは、その遠端に接触パッド、たとえば接触入力パッド２９−２９を備えている。
【００２６】
接触入力システムは、個々の導電セグメント１３、１４、１５、１６の両端間に電位を選択的に印加するための適当な信号発生器（図示しない）および信号応答を判定するための検出器を利用して、接触パッド２０、２１、２４、２５の各々に電気的に結合される。代表的な５線パターンの場合には、２６のような付加的な接触パッドが設けられ、このパッドは、代表的には従来の「Ｚ」軸結合器によって（利用時）グラフィカル上膜の内表面に結合される。これに関して、セグメント１３ならびに隅のセグメント１３Ａ、１３Ｂのネットワークに電位が印加されることにより、列１３の導電セグメントに隣接した辺に沿って電界が形成される。対向する辺１５のネットワークの両端間に適当な電位を印加してもよい。互いに対向する辺１４、１６のセグメントの両端間にも電位を選択的に印加してもよい。図４に示すように、選択された隅セグメントに信号発生器（図示しない）が電気的に接続されて、互いに対向する辺の間に交互に電位を形成する。表面と他の経路との間に適当な電位を選択的に印加することができると言える。表面１２とオーバレイとが接触すると、作成された信号が接触点のＸ−Ｙ位置に容易に変換される。
【００２７】
抵抗層で形成される電界は、互いに対向する表面の間に配置してもよい。または、その代わりに、互いに隣接したエッジ表面の間に互いに直交する電界を作成するように形成してもよい。指または導電性スタイラスによるタッチにより、接触点の位置の座標に比例した電圧信号がスタイラスに生じる。代わりに、導電性の先が尖ったスタイラスのＸ−Ｙ座標を判定するために、スタイラスを通して抵抗膜に電流を流し、エッジ表面に沿って配置され、３個以上の間隔を置いて設けられた導電性パッドまたは電極、代表的には導電セグメント１３−１６のネットワークに沿って間隔を置いて設けられた位置の電流応答を測定してもよい。
【００２８】
個々の隅の点に等しくて既知の電位を確実に同時に印加するための、細長いバスと下にある導電セグメントとの間の交差点の幾何学的配列について、図５により説明する。図５に示された細部では、バス２２に沿った交差点３５、３６が示されている。これらの交差点３５、３６は、導電アレー１５、１６の本体部分１５Ａ、１６Ａに対して、それぞれ斜交関係で配置される。換言すれば、交差点は、導電セグメントの固体部分に、詳しくは、図５に示されるように、固体部分相互の間の抵抗ゾーンではなくて、抵抗膜１９のセグメントを切り取ることにより露出される部分に配置される。交差点の幾何学的配列の配置により、既知の電位が隅セグメントに確実に同時に印加される。同様に交差点３８は、バス２７とネットワーク列１５の本体部分１５Ｂとの間の斜交関係で構成される。また図５に示すように、バス２７は、隅エレメント１６Ｂに直接、電気的に結合される。
【００２９】
個々の層の間の幾何学的な堆積関係は、更に図６に示されている。たとえば、この拡大図は、個々の層の間の関係を示し、更に、たとえば、図５に示された導電セグメントの本体１５Ａによって占められる集合体のセグメントを通して見たものである。
【００３０】
用途によっては、誘電体層を細長いバスに重畳した関係で配置し、このような誘電体層を層１９のように構成することが有用である。
【００３１】
（プロセス手順）
本発明による代表的なタッチスクリーンの準備では、抵抗コーティングをその上にスパッタリング（ＩＴＯ）したガラス基板を洗浄し、乾燥し、一様さの検査を行う。ガラスの表面に設けられる抵抗膜１２は、代表的には酸化インジウム−スズ（ＩＴＯ）で構成された抵抗膜であり、スパッタリング手法により表面に一様に設けられる。これらの膜は、ガラス基板に良好に付着し、市販されている。次に表面上に、図１に１３−１６と示された構成で、抵抗スクリーンパターンが用意される。抵抗ネットワークパターンは、充分に技術レベルの範囲内にある一様な厚さで形成される。ネットワークに沿って所望の導電率／抵抗が得られるように形成の厚さを選定すると言えば充分である。
【００３２】
スクリーンパターンのキュアに続いて、抵抗ネットワーク１３−１６の上方に誘電体膜１９の層が設けられる。誘電体は、好ましくは約１．４ミル（３５．６ミクロン）の厚さであり、このような誘電体材料は、もちろん市販されている。誘電体材料によっては、これより大きい又は小さい厚さ寸法で良好に使用することもできる。この膜の誘電体層は、好ましくは、ＵＶ照射によってキュア（ｃｕｒｅ）される。個々の誘電体層のＵＶキュアが望ましいと思われ、これは完成製品の一様さを向上する。ＵＶ照射量を適当にすることにより、完全なキュアが行われるようにする。市販されているこのような材料の１つは、ミシガン州ポートヒューロン（Ｐｏｒｔ  Ｈｕｒｏｎ）のアキソン・コロイド社（ＡｃｈｅｓｏｎＣｏｌｌｏｉｄｓ  Ｃｏｍｐａｎｙ）から商品名「ＭＬ２５２６５」で入手できる。キュアされて乾燥されたとき、この誘電体は、スパッタリングされた酸化インジウム−スズ膜の上の絶縁体として非常に有効であり、これは銀と炭素の導電性インクにも適合する。
【００３３】
次に誘電体の表面上にバスが形成され、バスは、従来のシルクスクリーン手法によりパターンとして設けられる。バスは、選択されたパターンで作成され、これは抵抗パターンに対して使用されるのと同じ導電性コーティングで形成し、もちろん適切な導電率を与えるのに充分な厚さとしてもよい。再び、バスのスクリーン印刷は、熟達した技術者には周知の操作である。
【００３４】
導電性の銀エポキシ・コーティングは、好ましく、熱キュア可能な二部構成を含めて広く市販されている。銀を入れたエポキシ・コーティングは、代表的には、低い体積抵抗率とすぐれた堅さを備えるので、バスとしての使用用途がある。
【図面の簡単な説明】
【図１】本発明によるエッジ線形化を達成するために、所定のある形状に配置された導電セグメントのネットワークのレイアウトの上面図である。
【図２】図１の導電セグメントの上方に誘電体層が重畳され、ネットワークが除去された図１の基板の上面図である。
【図３】誘電体層の下にある導電セグメントのネットワークの部分を破線で示し、図１および図２に示された形の右下隅を示す部分的に切り取った詳細な拡大平面図である。
【図４】ネットワークと誘電体層を除去し、動作中に電界の形成に必要とされる電気エネルギを与えるために利用される接触パッドと細長いバスの配置の上面図である。
【図５】線形化パターンのバスと各導電セグメントとの間の個々の交差点の配置を示す図３の平面図に非常に似た詳細図である。
【図６】図５に６−６と示す型の交差点を通り、交差点に隣接して見た図５の集合体の一部の断片図である。
【符号の説明】
１０  タッチスクリーン集合体
１１  基板
１２  抵抗層
１３−１６  導電セグメント
１３Ａ  隅セグメント
１３Ｂ  隅セグメント
１３Ｃ  中央のセグメント
１３Ｄ  Ｚ字形セグメント
１９  誘電体層
２０、２１、２４、２５  接触入力パッド
２２、２３、２７、２８  細長いバス
３５、３６、３８  交差点
【図１】
0004171591.tif 000002
【図２】
0004171591.tif 000003
【図３】
0004171591.tif 000004
【図４】
0004171591.tif 000005
【図５】
0004171591.tif 000006
【図６】
0004171591.tif 000007